(57)【要約】【課題】使い勝手を向上させた持ち運びが容易な拡大読書器を提供する。【解決手段】この拡大読書器１は、接写面２０、表示画面３０を有した画像表示体１ａ、文書Ｄを載置する載置面４０を有した文書載置体１ｂ、を有して構成され、載置面４０と接写面２０の間に文書Ｄを介在させその画像を読み取り、画像を表示画面３０に拡大又は等倍表示するものであって、文書Ｄから反射する光を受光して電気信号に変換することにより文書Ｄの全体画像を１回で読み取る画像読み取り部２と、文書Ｄに文字が書き込まれたときに、それによる載置面４０の押圧を検出する書込文字読み取り部４と、全体画像のデータを画像メモリ５４に記憶し、その一部又は全部を取り出して画像処理を行ったり書込文字のデータを画像のデータに重ねたりして表示データを生成する制御部５と、表示データを受け取って表示画面３０に画像を表示する画像表示部３と、を備えてなる。【選択図】図３
2011139112.tif 000002
【特許請求の範囲】
【請求項１】
一方の面に接写面、他方の面に表示画面を有した画像表示体を有して構成され、接写面下の文書に接写面を介して光を照射してその画像を読み取り、読み取った画像を表示画面に拡大又は等倍表示する拡大読書器であって、
前記画像表示体は、
文書から反射する光を前記接写面を介して受光して電気信号に変換することにより文書の全体画像を１回で読み取るマトリックス状に配置された読み取り素子を有してなる画像読み取り部と、
前記画像読み取り部により読み取られた全体画像のデータを画像メモリに記憶し、その一部又は全部を取り出して画像処理を行って表示データを生成する制御部と、
前記制御部から表示データを受け取って前記表示画面に画像を表示するマトリックス状に配置された表示素子を有してなる画像表示部と、
を備えてなることを特徴とする拡大読書器。
【請求項２】
文書を載置する載置面を有した文書載置体を更に有して構成され、載置面と接写面の間に文書を介在させ文書の画像を読み取る請求項１に記載の拡大読書器であって、
前記文書載置体は、前記載置面に載置された前記文書に文字が書き込まれたときに、それによる載置面の押圧を検出する書込文字読み取り部を備えてなり、
前記制御部は、前記書込文字読み取り部により読み取られた書込文字のデータを画像のデータに重ねる処理を行って表示データを生成することを特徴とする拡大読書器。
【請求項３】
請求項２に記載の拡大読書器において、
前記制御部は、載置面の押圧に追尾してそのＸＹ座標の位置の画像を表示することを特徴とする拡大読書器。
【請求項４】
請求項１乃至３のいずれかに記載の拡大読書器において、
前記文書に照射する光の色は順次変わるものであり、前記画像読み取り部は各色毎の照射の期間に文書の各色毎の画像を順次読み取ることを特徴とする拡大読書器。
【請求項５】
請求項４に記載の拡大読書器において、
複数の色を発色するバックライト用発光素子と、
前記画像読み取り部と前記画像表示部の間に設けられ、前記バックライト用発光素子の光を均一に拡散する拡散パネルと、を更に備え、
前記表示素子は液晶素子を有してなり、
前記バックライト用発光素子が順次発色点灯及び消灯して発する光の色を順次変えることにより、前記文書に照射する光の色を順次変えるとともに、前記画像表示部が各色毎の発色の期間に各色毎の画像を順次表示することを特徴とする拡大読書器。
【請求項６】
請求項１乃至４のいずれかに記載の拡大読書器において、
前記表示素子はＥＬ素子を有してなり、ＥＬ素子が発する光を前記文書に照射することを特徴とする拡大読書器。
【請求項７】
請求項６に記載の拡大読書器において、
前記ＥＬ素子が順次発色点灯及び消灯することにより、前記文書に照射する光の色を順次変え、更には、各色毎の画像を順次表示することを特徴とする拡大読書器。
【請求項８】
請求項１乃至７のいずれかに記載の拡大読書器において、
前記制御部は、操作スイッチ類の操作に基づいて、基準画面の状態を示す基準画面状態パラメータを一時記憶することを特徴とする拡大読書器。
【請求項９】
請求項１乃至８のいずれかに記載の拡大読書器において、
前記制御部は、全体画像の範囲を示す仮想外枠を表示画面に表示し、その仮想外枠の左右及び／又は上下に全体画像を繰り返すように表示画面に表示することを特徴とする拡大読書器。
【発明の詳細な説明】
【技術分野】
【０００１】
本発明は、いわゆるロービジョンと呼ばれる視覚障害者、老眼などによる高齢弱視者等が使用するのに好適な拡大読書器に関する。
【背景技術】
【０００２】
従来の拡大読書器として、例えば特許文献１に記載されるような据置型の拡大読書器が存在する。特許文献１に記載のものは、架台上に置いた文書をその上方に位置するカメラで撮影して画像を読み取り、画像処理して文書の一部をディスプレイ装置に拡大表示するようになっている。従って、視覚障害者の利用者は、自分で架台上に置いた文書を少しずつ移動させながら拡大表示された部分を視認することになる。この種の拡大読書器は、文書の媒体に制限はなく、利用者は書籍や新聞なども自由に読むことができ、また、文書への文字書き込みも可能であるので、使い勝手は下記の携帯型に比べかなり良いものとなっている。
【０００３】
また、従来の拡大読書器として、例えば特許文献２に記載されるような携帯型の拡大読書器が提案されている。特許文献２に記載のものは、薄板状であって、両面に画像読み取り部と画像表示部を有したもので、画像読み取り時に文書からの反射光を画像読み取り部により電気信号に変換して画像を読み取り、その画像の一部を画像表示部に拡大表示する。この種の拡大読書器は、持ち運びが容易なため、移動の負担を軽減することができ、視覚障害者のみならず高齢弱視者等にもかなりの利用が見込めるものである。
【０００４】
【特許文献１】特開２００４−３３６２２９号公報
【特許文献２】特開平７−３２２０１２号公報
【発明の開示】
【発明が解決しようとする課題】
【０００５】
しかしながら、上記の据置型の拡大読書器は、重量が有って移動の負担が大きく、また、文書へ文字書き込みを行う場面では，カメラ直下に筆記具を持つ手が入るため、視認やフォーカスに問題が生じ易い。一方、上記の携帯型の拡大読書器は、使い勝手が良いとは言えず、文字書き込みもできないため、視覚障害者や高齢弱視者等の人々にとっての更なる使い勝手等の向上を望まれるところであり、改良すべき余地は少なくない。
【０００６】
本発明は、係る事由に鑑みてなされたものであり、その目的は、使い勝手を向上させ、視認やフォーカスに問題がなく文字書き込みが可能な持ち運びが容易な拡大読書器を提供することにある。
【課題を解決するための手段】
【０００７】
請求項１に記載の拡大読書器は、一方の面に接写面、他方の面に表示画面を有した画像表示体を有して構成され、接写面下の文書に接写面を介して光を照射してその画像を読み取り、読み取った画像を表示画面に拡大又は等倍表示する拡大読書器であって、前記画像表示体は、文書から反射する光を前記接写面を介して受光して電気信号に変換することにより文書の全体画像を１回で読み取るマトリックス状に配置された読み取り素子を有してなる画像読み取り部と、前記画像読み取り部により読み取られた全体画像のデータを画像メモリに記憶し、その一部又は全部を取り出して画像処理を行って表示データを生成する制御部と、前記制御部から表示データを受け取って前記表示画面に画像を表示するマトリックス状に配置された表示素子を有してなる画像表示部と、を備えてなることを特徴とする。
【０００８】
請求項２に記載の拡大読書器は、文書を載置する載置面を有した文書載置体を更に有して構成され、載置面と接写面の間に文書を介在させ文書の画像を読み取る請求項１に記載の拡大読書器であって、前記文書載置体は、前記載置面に載置された前記文書に文字が書き込まれたときに、それによる載置面の押圧を検出する書込文字読み取り部を備えてなり、前記制御部は、前記書込文字読み取り部により読み取られた書込文字のデータを画像のデータに重ねる処理を行って表示データを生成することを特徴とする。
【０００９】
請求項３に記載の拡大読書器は、請求項２に記載の拡大読書器において、前記制御部は、載置面の押圧に追尾してそのＸＹ座標の位置の画像を表示することを特徴とする。
【００１０】
請求項４に記載の拡大読書器は、請求項１乃至３のいずれかに記載の拡大読書器において、前記文書に照射する光の色は順次変わるものであり、前記画像読み取り部は各色毎の照射の期間に文書の各色毎の画像を順次読み取ることを特徴とする。
【００１１】
請求項５に記載の拡大読書器は、請求項４に記載の拡大読書器において、複数の色を発色するバックライト用発光素子と、前記画像読み取り部と前記画像表示部の間に設けられ、前記バックライト用発光素子の光を均一に拡散する拡散パネルと、を更に備え、前記表示素子は液晶素子を有してなり、前記バックライト用発光素子が順次発色点灯及び消灯して発する光の色を順次変えることにより、前記文書に照射する光の色を順次変えるとともに、前記画像表示部が各色毎の発色の期間に各色毎の画像を順次表示することを特徴とする。
【００１２】
請求項６に記載の拡大読書器は、請求項１乃至４のいずれかに記載の拡大読書器において、前記表示素子はＥＬ素子を有してなり、ＥＬ素子が発する光を前記文書に照射することを特徴とする。
【００１３】
請求項７に記載の拡大読書器は、請求項６に記載の拡大読書器において、前記ＥＬ素子が順次発色点灯及び消灯することにより、前記文書に照射する光の色を順次変え、更には、各色毎の画像を順次表示することを特徴とする。
【００１４】
請求項８に記載の拡大読書器は、請求項１乃至７のいずれかに記載の拡大読書器において、前記制御部は、操作スイッチ類の操作に基づいて、基準画面の状態を示す基準画面状態パラメータを一時記憶することを特徴とする。
【００１５】
請求項９に記載の拡大読書器は、請求項１乃至８のいずれかに記載の拡大読書器において、前記制御部は、全体画像の範囲を示す仮想外枠を表示画面に表示し、その仮想外枠の左右及び／又は上下に全体画像を繰り返すように表示画面に表示することを特徴とする。
【発明の効果】
【００１６】
本発明に記載の拡大読書器によれば、持ち運びが容易なうえに、文書の全体画像を１回で読み取るためにさまざまな画像処理が可能となって使い勝手を向上させることができる。また、文書を載置する載置面の押圧を検出する書込文字読み取り部を備えた文書載置体を有するようにすることで、視認やフォーカスに問題がなく容易に文書に文字を書き込むことも可能となって使い勝手を更に向上させることができる。
【発明を実施するための最良の形態】
【００１７】
以下、本発明を実施するための最良の形態を図面を参照しながら説明する。本発明の実施形態に係る拡大読書器１は、画像表示体１ａと文書載置体１ｂを有する。図１〜図３は拡大読書器１の使用状態を示すものであって、図１は文書載置体１ｂに文書Ｄを載置しようとし画像表示体１ａを重ねようとする途中の状態、図２は文書載置体１ｂに文書Ｄを載置して画像表示体１ａを重ねた状態、図３は文書載置体１ｂに文書Ｄを載置したままで画像表示体１ａを分離し並べた状態の斜視図である。図１では画像表示体１ａの裏面と文書載置体１ｂの表面が観察でき、図２では画像表示体１ａの表面が観察でき、図３では、画像表示体１ａの表面と文書Ｄを載置した文書載置体１ｂの表面が観察できる。これらの図に示すように、画像表示体１ａの一方の面である裏面に接写面２０が、他方の面である表面に表示画面３０が設けられ、文書載置体１ｂの表面に文書Ｄを載置する載置面４０が設けられている。画像表示体１ａは、厚さの薄い略直方体状の箱体であり、その内部に、後に詳述する画像読み取り部２、画像表示部３、制御部５、を収容している。文書載置体１ｂも、平面視形状が画像表示体１ａと略等しいものであって厚さの薄い略直方体状の箱体であり、その内部に、後に詳述する書込文字読み取り部４を収容している。この拡大読書器１は、図２に示すように重ねた状態で、文書Ｄの表面を接写面２０側にし、接写面２０と載置面４０の間に文書Ｄを挟むように介在させ、接写面２０を介して光を照射してその画像を読み取る。そして、読み取った画像を表示画面３０に拡大又は等倍表示する。なお、図２では表示画面３０に文書Ｄの全体画像を等倍で表示している。この拡大は、利用者の視覚の程度にもよるが、通常は最大１０〜１５倍程度である。更に、図３に示す並べた状態で、載置面４０に載置した文書Ｄの所望箇所に筆記具により文字を書き込むと、それによる載置面４０の押圧を検出して、その押圧跡を拡大又は等倍表示している画像に重ねて表示画面３０に表示する。
【００１８】
図４の（ａ）は表示素子に液晶素子を用いた場合の画像表示体１ａの概略断面図、（ｂ）は表示素子にＥＬ素子を用いた場合の画像表示体１ａの概略断面図、（ｃ）は文書載置体１ｂの概略断面図である。
【００１９】
次に、画像表示体１ａと文書載置体１ｂの各部を説明する。画像読み取り部２は、文書Ｄから反射する光を接写面２０を介して受光して電気信号に変換することにより文書Ｄの全体画像を１回で読み取るマトリックス状に配置された読み取り素子２ａよりなる。この場合、文書Ｄは接写面２０に接し、文書Ｄの各箇所はそれの近傍に有りそれに対応した各読み取り素子２ａにより１対１で読み取られるため、歪み補正をしなくても読み込んだ画像の中心部と周辺部が原理的に殆ど歪まず読み取られる。読み取り素子２ａには、受けた光の量に応じた電荷量を発生するホトダイオード（又はホトトランジスタ）とそれを制御する薄膜トランジスタの制御トランジスタが含まれる。ここで、読み取り素子２ａの密度（画素密度）は、画像読み取りの解像度になる。薄膜トランジスタは、絶縁基板（例えば、ガラス基板）の上にＰ領域及びＮ領域となる薄膜を設けてトランジスタを構成したものであり、それを制御トランジスタとすると、ホトダイオード等をも一体に絶縁基板上に構成することができ、しかも、Ａ４サイズでも全ての読み取り素子２ａを同一絶縁基板上に構成することができる。このような画像読み取り部２は非常に低コストになる。なお、画像表示体１ａにおいて接写面２０を介して文書Ｄに光を照射する部分については後述する。また、図４（ａ）、（ｂ）において、絶縁基板等の記載は省略している。
【００２０】
画像読み取り部２が画像を読み取ることが可能な面積（及び画像表示部３が画像を表示することが可能な面積）は、使用される環境に合わせて適宜設計され得るが、多くの文書はＡ４サイズ又はＢ５サイズであることから、また、Ａ３、Ｂ４サイズのものであっても大部分は中央付近で左右に文書が分かれていることから、ビジネス用ではＡ４サイズ（２９７ｍｍ×２１０ｍｍ）が適している。一方、書籍や商品タグを読むような日常生活用では、Ａ４サイズは鞄（特に女性用鞄）に入らない等の状況もあるので、例えばＡ５サイズ（２１０ｍｍ×１４８ｍｍ）とする方が良い場合もある。また、画像読み取り部２における画像読み取りの解像度は、画像表示部３において拡大表示しても文章の文字を構成するドットの抜けが有ると読み取りが困難になるので、カラーで２００ｄｐｉ以上であることが望ましい。
【００２１】
画像読み取りが十分に高解像度であり低コストとするために、望ましくは、複数の色（通常、ＲＧＢの３色）の光を順次発色させて文書Ｄに照射し、画像読み取り部２は各色毎の発色の期間（照射の期間）に文書Ｄの各色毎の画像を順次読み取る方式とする。複数の色の光は、後に詳述するバックライト用発光素子又は表示素子を構成するＥＬ素子を用いる。このようにすると、例えば、３色それぞれ専用の読み取り素子をマトリックス状に配置したならば画素密度６００ｄｐｉ必要なものが、画素密度２００ｄｐｉあればよいことになる。
【００２２】
画像表示部３は、後述する制御部５から表示データを受け取って表示画面３０に画像を表示する表示素子３ａがマトリックス状に配置されてなる。表示素子３ａは、複数の色（通常ＲＧＢの３色）のいずれかを表示画面３０に向かって発する。表示素子３ａには、光の透過又は自身の発光が電気的に制御される素子、例えば、液晶素子やＥＬ素子（有機ＥＬ素子又は無機ＥＬ素子）とそれを制御する薄膜トランジスタの制御トランジスタが含まれる。薄膜トランジスタを制御トランジスタとすると、Ａ４サイズの全ての制御トランジスタを同一絶縁基板上に構成することができる。また、表示素子３ａにＥＬ素子を用いた場合は、ＥＬ素子をも制御トランジスタと一体に絶縁基板上に構成することができる。
【００２３】
表示素子３ａに液晶素子を用いた場合、複数の色を発色するバックライト用発光素子（ＬＥＤ）２１と、その光を受けて均一に拡散する拡散パネル２２が設けられる。拡散パネル２２は、画像読み取り部２と画像表示部３の間に設置される。ＬＥＤ２１から拡散パネル２２を介して発した光は、画像読み取り部２の読み取り素子２ａ、２ａ間の素子非形成領域２ｂを通過して接写面２０を介して文書Ｄに照射され、かつ、画像表示部３の液晶素子にも照射されて表示画面３０から利用者の目に到達する。このように、ＬＥＤ２１と拡散パネル２２は、画像表示部３と画像読み取り部２に共用されている。なお、光を照射された文書Ｄからの反射光は、前述のように、画像読み取り部２によって電気信号に変換される。また、画像表示部３の液晶素子は、表示する画像に応じて光の透過が制御される。
【００２４】
表示素子３ａにＥＬ素子を用いた場合、画像に応じてＥＬ素子自身に流れる電流又は印加される電圧が制御されて発光し、表示画面３０から利用者の目に到達する。また、ＥＬ素子が発する光は画像読み取り部２の方向にも放射され、読み取り素子２ａ、２ａ間の素子非形成領域２ｂを通過して接写面２０を介して文書Ｄに照射される。なお、光を照射された文書Ｄからの反射光は、前述のように、画像読み取り部２によって電気信号に変換される。従って、このＥＬ素子も、画像表示部３と画像読み取り部２に共用されることになる。この表示素子３ａにＥＬ素子を用いた場合は、液晶素子の場合に比べ、ＬＥＤ２１及び拡散パネル２２は必要とされないので、薄型化や軽量化に非常に有効である。
【００２５】
ここで、望ましくは、バックライト用発光素子（ＬＥＤ）２１又は表示素子３ａを構成するＥＬ素子が順次発色点灯及び消灯することによって発する光の色を順次変え、前述のように、画像読み取り時に画像読み取り部２が各色毎の発色の期間に文書Ｄの各色毎の画像を順次読み取るようにする。更に、画像読み取り時以外も、ＬＥＤ２１又はＥＬ素子が順次発色点灯及び消灯することとし、画像表示部３は各色毎の発色の期間に文書Ｄの各色毎の画像を順次表示する。すなわち、画像表示部３は、いわゆるフィールドシーケンシャルカラー方式に動作し、各色毎の画像は利用者の目で合成されてさまざまな色が認識される。この方式は、動画では色バランス調整が難しいが、静止画である文書Ｄの画像を扱う拡大読書器１ではこのような問題点はない。これにより、更に低コストになる。また、ＬＥＤ２１の場合は、画像読み取り時においても表示画面３０が異なる色に変わることがなく、違和感を覚えることもない。ＥＬ素子の場合は、表示画面３０の方向に発色するものと接写面２０の方向に発色するものとを分けて同一絶縁基板上に構成することにより、画像読み取り時において表示画面３０が異なる色に変わるのをなくすることができる。
【００２６】
なお、表示画面３０にタッチパネル層を設け、表示された文字等を押しボタン代わりにして、制御部５の後述の操作スイッチ類Ｓｕｂ１、・・・の機能を補充するようにすることができる。タッチパネル層の構造については、既存の技術であり、本発明の本旨ではないので省略する。また、押しボタン代わりの例示は、後述の制御部５の制御プログラムＰの説明において挙げている。
【００２７】
書込文字読み取り部４は、文書載置体１ｂの載置面４０に載置された文書Ｄが、筆記具のペン先等により文字が書き込まれたり指先等により押さえ付けられたりしたとき、載置面４０の押圧を感知して検出する。文書Ｄの用紙は、載置面４０でペン先等、指先等による押圧を感知できるよう、１枚の或いは２、３枚を重ねた通常の厚さのものを想定している。なお、文字の他、図表などの書き込みも可能である。また、白紙の用紙に文字、図表などを書き込むことも可能である。
【００２８】
書込文字読み取り部４は、画像読み取り部２の読み取り面積と同じ面積が読み取り可能なものである。従って、文書載置体１ｂの載置面４０の縦横サイズは画像表示体１ａの接写面２０とほぼ同じとなる。また、書込文字読み取り部４のＸ軸とＹ軸の絶対座標（以下、ＸＹ座標）は画像読み取り部２のＸＹ座標と一致させられる。そのため、画像を読み取るために接写面２０と載置面４０の間に文書Ｄを挟むときには、正確に書込文字読み取り部４のＸＹ座標と画像読み取り部２のＸＹ座標と一致するよう、画像表示体１ａと文書載置体１ｂに位置合わせ手段を設けるのが望ましい。位置合わせ手段は、例えば、画像表示体１ａと文書載置体１ｂの縦横サイズを正確に同一にした四つ角であって、画像表示体１ａと文書載置体１ｂの四つ角を合わせることによって位置合わせができるようにしたものであってもよい。また、画像表示体１ａと文書載置体１ｂの対応する箇所に位置合わせのために設けた凸部又は凹部であってもよい。更に、画像読み取りが終了して画像表示体１ａを移動しても載置面４０の用紙がずれないように、用紙固定手段を設けるのが望ましい。用紙固定手段は、例えば、載置面４０を摩擦力が大きい面としたものであってもよいし、用紙の端を弾力性を持って挟むものであってもよい。また、ペン先等の押圧を検出する精細度は、画像読み取り部２と同等か或いはそれ以下であってもペン先等の軌跡を追うことができるものならばよい。
【００２９】
書込文字読み取り部４として適用可能なものの一つは、抵抗感圧型のタブレットやタッチパネルで用いられるように、分布抵抗を有する２つの層を隙間を空けて重ね、１つの層にはＸ方向の両端に電極を形成し、別の層にはＹ方向の両端に電極を形成したものであって、ペン先等の押圧により２つの層がその位置で接触し、１つの層でＸ方向に電圧を印加して別の層でペン先等の位置での分圧を検出し、別の層でＹ方向に電圧を印加して１つの層でペン先等の位置での分圧をＡＤ変換器でデジタルデータに変換することで、押圧が存在するＸＹ座標を検出するものである。両端の電極間の抵抗値が押圧面積によって変化するため、それによる電極間の電流値を測定することにより、ペン先等の太さ（押圧領域の位置）も識別できる。
【００３０】
書込文字読み取り部４は、文書載置体１ｂに有るため、画像表示体１ａに有る制御部５に書込文字読み取り部４により読み取られた押圧のデータを送出する書込文字送出手段６が設けられる。書込文字送出手段６は、通常は、通信接続ケーブルであるが、その代わりに赤外線や微弱な電波等による無線とすることも可能である。
【００３１】
制御部５は、利用者が所望の入力操作を行う操作スイッチ類を含む。この実施形態では、操作スイッチ類は画像表示体１ａの表面において表示画面３０の右側に隣接し若干突出した部分に設けられる。この実施形態では、操作スイッチ類として３個のサブスイッチＳｕｂ１、Ｓｕｂ２、Ｓｕｂ３と電源スイッチＰＳＷを設けている。また、画像表示体１ａの側面には書込文字送出手段６である通信接続ケーブルを接続するコネクタ、メモリカード７を挿入するスロットなどが設けられ、画像表示体１ａの裏面にはバッテリーホルダーの扉が設けられる。サブスイッチＳｕｂ１、・・・と電源スイッチＰＳＷは、認識のし易さ、操作のし易さから比較的大きくしておく。サブスイッチＳｕｂ１、・・・は、誤選択をしないように、形状を互いに異ならすのが望ましく、例えば、図２等に示すように、形状は○、△、□とする。また、色については、例えば、画像表示体１ａの色がグレーならば、サブスイッチＳｕｂ１、・・はパステル系のグリーン、イエロー、ピンクのような目立つ色が望ましい。電源スイッチＰＳＷは、誤操作を避けるために、スライドスイッチが望ましい。また、色については、例えば、画像表示体１ａの色がグレーならば、電源スイッチＰＳＷはパールホワイトのような補色が望ましい。
【００３２】
制御部５は、画像表示体１ａの内部に制御回路５０を有する。この実施形態の制御回路５０の具体的な構成は、図５に示すように、ＣＰＵ５１、制御プログラムＰを記憶するプログラムメモリ５２、ワークメモリ５３、画像読み取り部２で読み込まれた全体画像のデータを記憶する画像メモリ５４、画像表示部３に送出される表示データを格納するフレームメモリ５５を有した構成である。また、制御部５は、前述した画像読み取り部２、書込文字読み取り部４、操作スイッチ類Ｓｕｂ１、・・・、メモリカード７とのインタフェース５６、５７、５８、５９を有する。制御回路５０は、画像読み取り部２での画像読み取りを制御し、読み取られた全体画像のデータを画像メモリ５４に記憶し、画像メモリ５４から全体画像のデータの一部又は全部を取り出し、操作スイッチ類Ｓｕｂ１、・・・などからの入力信号に応じて、拡大処理を含む画像処理を行って表示データを生成してフレームメモリ５５に格納する。また、書込文字読み取り部４により読み取られた押圧のデータがある場合、そのデータを全体画像のデータに重ねる処理を行って表示データを生成してフレームメモリ５５に格納する。フレームメモリ５５の表示データは、前述した画像表示部３に送出され、画像表示部３はその表示データを受け取って表示画面３０に拡大された又は等倍の画像を表示することになる。このような動作は、以下に詳述する制御プログラムＰに従って行われる。
【００３３】
制御プログラムＰは、具体的な様々な構成が可能であり、以下に説明する構成はその一例である。この説明においては、制御プログラムＰの処理に応じた拡大読書器１の動作及びそれに対する利用者に要求される操作についても、併せて述べる。なお、この制御プログラムＰは、表示画面３０の表面にタッチパネル層を設けて操作スイッチ類Ｓｕｂ１、・・・の機能を補充したものを想定している。
【００３４】
図６は、制御プログラムＰの具体的な構成と遷移を示す全体構成図である。また、図７（ａ）〜（ｅ）は、表示画面３０に表示される主なメニューである。制御プログラムＰは、基本状態Ｐ００の処理、イニシャル処理Ｐ１０、画像読み取り処理Ｐ２０、画質調整処理Ｐ３０、画面スタック処理Ｐ４１、画面スタックリード処理Ｐ４２、画像拡大縮小回転処理Ｐ５０、スクロール処理Ｐ６０、文字入力処理Ｐ７０、メモリカード処理Ｐ８０、システム設定処理Ｐ９０を含んで構成される。
【００３５】
基本状態Ｐ００は、拡大された又は等倍の画像が表示画面３０に表示され、メニューが表示されていない状態であり、操作スイッチ類Ｓｕｂ１、・・・などからの入力信号を待ち、その入力信号に応じて各処理に移行する。
【００３６】
図８は、イニシャル処理Ｐ１０のフロー図である。休止状態（未使用状態）ＰＸＸで電源スイッチＰＳＷによる電源のオンを検出する或いは基本状態Ｐ００でサブスイッチＳｕｂ１の押下を検出する（図６参照）と、イニシャル処理Ｐ１０に入り、まず、基本メニューＭｆを表示画面３０に表示する（Ｓ１００１）。基本メニューＭｆには、‘スキャン’、‘文字入力設定’、‘メモリカード処理’が含まれる（図７（ａ）参照）。サブスイッチＳｕｂ１の押下を検出する（Ｓ１００２）と、基本メニューＭｆの表示を消去して終了する。サブスイッチＳｕｂ１の押下が検出されないときは、それぞれの文字部分の押圧を検出する（Ｓ１００３）。‘文字入力設定’の押圧Ｔ１１を検出すると、書込文字読み取り部４のオン・オフ状態を入れかえる（Ｓ１１０１）。‘スキャン’の押圧Ｔ２０を検出すると、画像読み取り処理Ｐ２０に移行し、‘メモリカード処理’ の押圧Ｔ８０を検出すると、メモリカード処理Ｐ８０に移行する。画像読み取り処理Ｐ２０とメモリカード処理Ｐ８０については後に詳述する。
【００３７】
なお、‘文字入力設定’は、拡大読書器１に通信接続ケーブル等の書込文字送出手段６が接続されていなければ、表示しないようにすることも可能である。また、‘メモリカード処理’は、メモリカード７が挿入されていなければ、表示しないようにすることも可能である。
【００３８】
図９は、画像読み取り処理Ｐ２０のフロー図である。画像読み取り処理Ｐ２０では、文書Ｄの画像の読み取り（スキャン）を行うよう画像読み取り部３を制御し、画像読み取り部３からの画像データを画像メモリ５４に記憶する（Ｓ２００１）。文書Ｄの画像の読み取りが完了すると、表示画面３０に後述する画質調整パラメータに基づいて画像メモリ５４に記憶した画像データを処理し（Ｓ２００２）、画像表示部３に送って表示画面３０に画像を表示する（Ｓ２００３）。
【００３９】
ここで、利用者は、画像読み取り処理Ｐ２０の前に、文書Ｄにおける所望の部分が含まれる範囲が接写面２０の直下になるように、文書載置体１ｂの載置面４０に載置しておく。拡大読書器１及び文書Ｄは画像読み取り処理Ｐ２０の間は動かさない。
【００４０】
図１０は、画質調整処理Ｐ３０のフロー図である。基本状態Ｐ００でサブスイッチＳｕｂ２の押下を検出すると、画質調整処理Ｐ３０に入る（図６参照）。そして、画質調整メニューＭｑを表示画面３０に表示する（Ｓ３００１）（図７（ｂ）参照）。画質調整メニューＭｑには、‘配色選択’、‘コントラスト選択’が含まれる。サブスイッチＳｕｂ２の再度の押下を検出する（Ｓ３００２）と、画質調整メニューＭｑの表示を消去して終了する。サブスイッチＳｕｂ２の押下を検出しないときは、それぞれの文字部分の押圧を検出する（Ｓ３００３）。‘配色選択’ の押圧Ｔ３１を検出すると、配色選択サブメニューＭｑ１を表示画面３０に表示する（Ｓ３１０１）（図７（ｃ）参照）。配色選択サブメニューＭｑ１には、‘カラー’、‘８階調ネガ’、‘８階調ポジ’、‘特定配色’、 ‘２値ネガ’、‘２値ポジ’が含まれる。各文字の押圧を検出すると、‘カラー’は通常の色、‘８階調ネガ’は無色８階調で白黒反転、‘８階調ポジ’は無色８階調、‘特定配色’は後述のシステム設定処理Ｐ９０の‘特定配色設定’で設定された単一色、‘２値ネガ’は無色階調なしで白黒反転、‘２値ポジ’は無色階調なし、の画像を表示画面３０に表示するよう配色を設定する（Ｓ３１０２）。配色選択サブメニューＭｑ１の各文字の横にウィンドウを設け、各文字に応じた配色の縮小画面を表示してもよい。サブスイッチＳｕｂ２の押下を検出する（Ｓ３１０３）と、元に戻って画質調整メニューＭｑを表示画面３０に表示する（Ｓ３００１）。また、画質調整メニューＭｑで‘コントラスト選択’ の押圧Ｔ３２を検出すると、コントラストが調整できるようにボリュームイメージを表示し（Ｓ３２０１）、＋側或いは−側の押圧によってコントラストの設定を増減する（Ｓ３２０２）。配色選択サブメニューＭｑ１で２値ネガ又は２値ポジを選択していた場合は２値の分岐点が変わる。サブスイッチＳｕｂ２の押下を検出する（Ｓ３２０３）と、元に戻って画質調整メニューＭｑを表示画面３０に表示する（Ｓ３００１）。これら画質調整処理Ｐ３０による各設定は、利用者が持つ様々な視覚障害に応じて望ましい視覚環境を提供するためのものである。なお、電源オン直後の画質調整パラメータは、デフォルト値に設定しておいてもよいし、以前電源オフ前に用いていたものを不揮発性メモリに記憶しておいてそれを電源オンと同時に読み出して設定してもよい。
【００４１】
図１１は、画面スタック処理Ｐ４１と画面スタックリード処理Ｐ４２のフロー図である。基本状態Ｐ００でサブスイッチＳｕｂ３の押下を検出すると、画面スタック処理Ｐ４１に入る（図６参照）。そして、その時に表示されていた画面（基準画面）の状態を示す基準画面状態パラメータをワークメモリ５３等にスタック（一時記憶）する（Ｓ４１０１）。一方、基本状態Ｐ００でサブスイッチＳｕｂ３の２回連続押下（ダブルクリック）ＤＣを検出すると、画面スタックリード処理Ｐ４２に入る。そして、スタック領域から基準画面状態パラメータを読み出し、それに応じた画面状態に戻す（Ｓ４２０１）。
【００４２】
図１２は、画像拡大縮小回転処理Ｐ５０のフロー図である。基本状態Ｐ００で、表示画面３０の２点の同時押圧ＴＤＰを検出すると画像拡大縮小回転処理Ｐ５０に入る（図６参照）。同時押圧ＴＤＰを再度確認し、それが検出されないと、処理を終える（Ｓ５００１）。同時押圧ＴＤＰを検出すると、一方が静止して他方が動くかどうかを検査し（Ｓ５００２）、離反する動きならば、一定時間ごとに自動的に倍率を上げて行って画像を拡大処理する（Ｓ５００３）。接近する動きならば、一定時間ごとに自動的に倍率を下げて行って画像を縮小処理する（Ｓ５００４）。回転する動きならば、一定時間ごとに自動的に画像を回転処理する（Ｓ５００５）。拡大処理は最大倍率まで、縮小処理は等倍になるまで可能となる。同時押圧ＴＤＰが検出されなくなると、拡大処理、縮小処理、回転処理を終える（Ｓ５００１）。なお、表示画面３０の周辺部に、表示する画像の中心のＸＹ座標と倍率を表示する。
【００４３】
図１３は、スクロール処理Ｐ６０のフロー図である。基本状態Ｐ００で、表示画面３０の上下左右いずれかの縁部において左右又は上下に動く押圧ＴＥＰを検出するとスクロール処理Ｐ６０に入る（図６参照）。押圧ＴＥＰを再度確認し、それが検出されないと、処理を終える（Ｓ６００１）。押圧ＴＥＰを検出すると、押圧ＴＥＰの動きに応じて表示される画像を移動させる（スクロールする）（Ｓ６００２）。表示画面３０の押圧ＴＥＰが検出されなくなると、スクロールを終える（Ｓ６００１）。なお、表示画面３０の周辺部に、表示する画像の中心のＸＹ座標と倍率を表示する。
【００４４】
このスクロール処理Ｐ６０を上述の画面スタック処理Ｐ４１及び画面スタックリード処理Ｐ４２と組み合わせると、図１４を用いて以下に説明するように簡単な操作で文書Ｄを読むことができる。図１４（ａ）〜（ｄ）は、表示画面３０に拡大表示された画像を時系列に示した例である。図中のＶＤは仮想文書である。（ａ）に示すような拡大表示された画面を基準画面として、その画像の基準画面状態パラメータを、サブスイッチＳｕｂ３を押下することにより、スタックしておく。それから、（ｂ）に示すように、右側にスクロールして文中の一行を読み、（ｃ）に示すように右端まで読み終えると、サブスイッチＳｕｂ３を２回連続押下する。そうすると、（ｄ）に示すように、基準画面状態パラメータを読み出して基準画面まで戻る。それから必要に応じ次の一行が見易いように下側にスクロールしてから、その画面を新たな基準画面として、同様に右側にスクロールして次の一行を読む。
【００４５】
図１５は、文字入力処理Ｐ７０のフロー図である。書込文字読み取り部４がオン状態になっていて、載置面４０に押圧ＰＰを検出すると文字入力処理Ｐ７０に入る（図６参照）。押圧ＰＰを再度確認し、それが検出されないと、処理を終える（Ｓ７００１）。押圧ＰＰを検出すると、押圧ＰＰのデータを画像のデータに重ねて（合成して）、表示画面３０が押圧ＰＰのＸＹ座標の位置の画像を表示したとき押圧ＰＰの跡をも表示する（Ｓ７００２）。ペン先かペン先以外のもの（以下、指先等）かを押圧ＰＰの領域の面積等の判別によって区別又は操作スイッチ類などで区別して、表示画面３０上の押圧ＰＰの跡の色を違えることも可能である。また、後述のシステム設定処理Ｐ９０において押圧自動追尾を有としている（Ｓ７００３）ならば、押圧ＰＰの跡が中央になるように、押圧ＰＰに追尾してそのＸＹ座標の位置の画像を表示する（Ｓ７００４）。そして、載置面４０に押圧ＰＰが検出されなくなると終了する（Ｓ７００１）。
【００４６】
ここで、載置面４０の文書Ｄはすでに画像読み取り部２により読み取られているものとする。利用者は、画像読み取り部２が含まれる画像表示体１ａを、文書載置体１ｂから離して表示画面３０を見易い位置に置く。また、文書Ｄの用紙は、画像読み取り部２により読み取られた状態の位置からずれないようにする。利用者は、図１６に示すように、指先等により文書Ｄを介して載置面４０を押圧すると、押圧の跡が画像と合成されて表示されるので、押圧の跡が存在する画面を捜していけば書き始めを行う箇所を容易に表示画面３０に表示することができる。そして、書き始めを行う箇所が表示画面３０に表示されると、指先等をペン先に代えて文字等の書き始めを行う。このとき、それまでの指先等による押圧の跡は、上記のようにペン先か指先等かを区別していたならば表示画面３０から自動的に消去することも可能であり、また、別の操作スイッチ類などで（例えば、上記サブスイッチＳｕｂ３の押下による画面スタック処理Ｐ４１と同時に）消去することも可能である。また、指先等をペン先に代えるときに書き始めの位置がずれ難いノック式ボールペン等が最適である。書き終えた後は、サブスイッチＳｕｂ１を押下し、前述のイニシャル処理Ｐ１０及び画像読み取り処理Ｐ２０により、再度、文書Ｄの画像を読み取って内容を確認することも可能である。
【００４７】
また、押圧自動追尾を有としているならば、利用者は、押圧ＰＰの状態のまま指先等を移動させるか、一旦指先等を離し再度適当な距離を取って載置面４０の押圧ＰＰを行うと、文字等の書き始めを行う箇所を更に容易に画面に表示することができる。文書Ｄの最初から押圧ＰＰの状態のまま、文書Ｄを読みながら文字等の書き始めを探すことも可能である。
【００４８】
また、押圧自動追尾は、画面表示の一定の枠（例えばＸ軸、Ｙ軸の長さがそれぞれ画面全体の２分の１の中央部分）の外側が押圧されたときに追尾するようにし、枠の内側では追尾しないようにすることもできる。これは、ペン先で署名等を行っているときペン先を動かす度に画像が動くと、かえって見え難いと感じる場合もあるからである。
【００４９】
図１７は、メモリカード処理Ｐ８０のフロー図である。前述のように、イニシャル処理Ｐ１０の基本メニューＭｆにおいて‘メモリカード処理’ の押圧Ｔ８０を検出すると、メモリカード処理Ｐ８０に入る。そして、先ず、メモリカードメニューＭｍを表示画面３０に表示する（Ｓ８００１）。メモリカードメニューＭｍには、‘画像新規保存’、‘画像上書保存’、‘画像呼出’、‘画像スライドショー’、‘画像消去’が含まれる（図７（ｄ）参照）。サブスイッチＳｕｂ１の押下を検出する（Ｓ８００２）と、メモリカードメニューＭｍの表示又は下記のエラー表示を消去してイニシャル処理Ｐ１０に戻る。サブスイッチＳｕｂ１の押下が検出されないときは、メモリカード７の有無を検査し（Ｓ８００３）、メモリカード７がない場合は、エラー表示を行い（Ｓ８００４）、エラー表示の状態でサブスイッチＳｕｂ１の押下を再度検査する（Ｓ８００２）。メモリカード７が有る場合又はメモリカード７の差込みを検出する（Ｓ８００３）と、エラー表示が有る場合はそれを消去して、それぞれの文字部分の押圧を検査する（Ｓ８００５）。押圧Ｔ８１に応じた画像新規保存の処理では、画像メモリ５４に記憶されている画像データがメモリカード７の空き領域へ保存される（Ｓ８１０１）。これに付随して、直前の表示位置、倍率、回転角度、配色値、基準画面状態パラメータなどの情報も保存される。押圧Ｔ８２に応じた画像上書保存の処理では、画像呼出の処理によって直前にメモリカード７から呼び出した元の画像のファイルに画像データ及びその付随情報が上書き保存される（Ｓ８２０１）。押圧Ｔ８３に応じた画像呼出の処理では、画像新規保存の処理によりメモリカード７に保存した順に画像が呼び出され、ワークメモリ５３等に一時保存され、表示画面３０に表示される（Ｓ８３０１）。押圧Ｔ８４に応じた画像スライドショーの処理では、画像新規保存の処理によりメモリカード７に保存した順に画像が一定時間ごとに表示される（Ｓ８４０１）。押圧Ｔ８５に応じた画像消去の処理では、画像呼出の処理によって直前にメモリカード７から呼び出した元の画像のファイルが消去される（Ｓ８５０１）。これらの押圧Ｔ８１、Ｔ８２、Ｔ８３、Ｔ８４、Ｔ８５に応じた処理が終了すると、元に戻ってメモリカードメニューＭｍを表示画面３０に表示する（Ｓ８００１）。
【００５０】
図１８は、システム設定処理Ｐ９０のフロー図である。基本状態Ｐ００でサブスイッチＳｕｂ３の長押下（例えば３秒程度の押下）を検出すると、システム設定処理Ｐ９０に入る（図６参照）。そして、システム設定メニューＭｓを表示画面３０に表示する（Ｓ９００１）（図７（ｅ）参照）。システム設定メニューＭｓには、‘日時合わせ’、‘操作音設定’、‘特定配色設定’、‘押圧自動追尾設定’、‘画面連続表示設定’、などが含まれる。サブスイッチＳｕｂ３の押下を検出する（Ｓ９００２）と、システム設定メニューＭｓの表示を消去して終了する。サブスイッチＳｕｂ３の押下が検出されないと、それぞれの文字部分の押圧を検出する（Ｓ９００３）。‘日時合わせ’、‘操作音設定’の押圧を検出したときの処理は、一般の機器での処理と変わりはないので、その説明は省略する。‘特定配色設定’Ｔ９１の押圧を検出すると、画質調整処理Ｐ３０の配色選択サブメニューＭｑ１に含まれる特定配色での単一色、すなわち、画像を着色するための単一色を設定する（Ｓ９１０１）。これは、視覚障害者によれば特定の色の文書を特に良く判別できるタイプの人々もいるからである。また、‘押圧自動追尾設定’ の押圧Ｔ９２を検出すると、押圧自動追尾の有無の状態を入れかえる（Ｓ９２０１）
【００５１】
‘画面連続表示設定’ の押圧Ｔ９３を検出すると、画面連続表示を有無の状態を入れかえる（Ｓ９３０１）。画面連続表示を有としたならば、図１９を用いて以下に説明するように、特別な操作をしなくてもスクロールだけで文書Ｄを連続して読むことができる。図１９（ａ）〜（ｃ）は、表示画面３０に拡大表示された画像を時系列に示した例である。図中のＶＤは仮想文書であり、ＶＦは全体画像の範囲を示す仮想外枠である。（ｂ）に示すように仮想外枠の位置が表示されると、それと分かる色で仮想外枠ＶＦを表示し、その左右に全体画像を繰り返すようにその左部及び右部を表示する。なお、左右のみならず上下も可能である。また、仮想外枠は、通常、画像読み取り部２が画像を読み取ることが可能な範囲（例えば、Ａ４サイズ）に一致するが、文書Ｄの大きさに合わせて変更できるようにすることも可能である。
【００５２】
利用者は、右側にスクロールして文中の一行を読み、図１９（ａ）に示すように文章の右端まで読み終え、更に右側にスクロールする。そうすると、（ｂ）に示すように仮想外枠ＶＦが表示されるので、その右側が全体画像の左部であることが分かる。更に右側にスクロールすると、（ｃ）に示すように文章の左端が表示される。それから必要に応じ次の一行が見易いように下側にスクロールしてから、同様に右側にスクロールして次の一行を読む。
【００５３】
基本状態Ｐ００で電源スイッチＰＳＷによる電源のオフを検出すると休止状態（未使用状態）ＰＸＸとなる（図６参照）。拡大読書器１の休止状態では、保管や持ち運びが容易なように、図２に示したように、文書載置体１ｂに画像表示体１ａを重ねた状態にして留められるようにする。
【００５４】
以上、本発明の実施形態に係る拡大読書器１について説明した。拡大読書器１は、持ち運びが容易なうえに、文書Ｄの全体画像を１回で読み取るためにさまざまな画像処理が可能となって使い勝手を向上させることができる。その結果、視覚障害者や高齢弱視者等の人々が文書を読む場面において、読むという行為に対し、その不自由さを軽減し、精神活動を補助するものである。また、視覚障害児童・生徒に対する教育の教材は、ボランティアによる補助や特別な教科書・参考書などで対応することには限界がある。拡大読書器１は、これらの児童・生徒が他の児童・生徒達と同じ教科書・参考書を使用できることを可能にして、教育の場における不便さを軽減し、使い勝手を良くして人材育成に役立てるものである。
【００５５】
また、文書を載置する載置面４０の押圧を検出する書込文字読み取り部４を備えた文書載置体１ｂを有するので、据置型の拡大読書器での前述した視認やフォーカスのような問題がなく、容易に文書Ｄに文字を書き込むことも可能となって使い勝手を更に向上させることができる。自筆の署名、記名などが求められることが多い市町村役場や金融機関の窓口で、視覚障害者や高齢弱視者等の人々が携帯して、その場で文書Ｄの内容を表示画面３０で確認しながら、署名、記名などを行うことができる。或いは、市町村役場や金融機関の窓口に設置しておくと、場所が取られることもなく、多くの人が利用可能になる。
【００５６】
本発明は、上述の実施形態に記載したものに限られることなく、特許請求の範囲に記載した事項の範囲内での種々の応用と変更が可能である。
【００５７】
例えば、文書Ｄを読むことに機能を絞り、文字書き込みの機能を省略した拡大読書器１’が挙げられる。拡大読書器１’は、書込文字読み取り部４が設けられた文書載置体１ｂが省略され、制御プログラムＰにおいて、イニシャル処理Ｐ１０における基本メニューＭｆの‘文字入力設定’表示、文字入力処理Ｐ７０、を有さないようにする。これは、機能は少し減るものの、安価で提供できるので広く普及させられるという点で有効である。
【００５８】
拡大読書器１の形状を設計変更した例としては、画像表示体１ａ’’を立設できるようにして表示画面３０を見易くした拡大読書器１’’が挙げられる。図２０は、拡大読書器１’’において、文書載置体１ｂ’’に文書Ｄを載置したままで画像表示体１ａ’’を立設した状態の斜視図である。図２０では、画像表示体１ａ’’の表面と文書Ｄを載置した文書載置体１ｂ’’の表面が観察できる。画像表示体１ａ’’は文書載置体１ｂ’’の支持部８の溝部８ａに嵌め込まれて支持されている。こうすると、表示画面３０が利用者から見易くなる。制御部５は表示画面３０の中央部の上方にあり、厚みが有って表示画面３０よりも若干突出している。制御部５の厚みは支持部８の厚みとほぼ等しくなっている。また、画像読み取り時の状態の図示は省略するが、画像読み取りは、制御部５が支持部８、８の間になるように配置し、文書載置体１ｂ’’の載置面４０と画像表示体１ａ’’の裏面の接写面２０の間に文書を挟むように介在させ、図２で示したのと同様に文書載置体１ｂ’’に画像表示体１ａ’’を重ねた状態で行う。保管や持ち運びするときは、制御部５が支持部８、８の間に嵌まるように配置し、画像表示体１ａ’’を裏返して表示画面３０と載置面４０とを対向させてほぼ密着させ、文書載置体１ｂ’’に画像表示体１ａ’’を重ねる。
【００５９】
また、制御プログラムＰ、表示画面３０に表示されるメニュー、制御回路５０の構成などは適宜変更される。
【図面の簡単な説明】
【００６０】
【図１】本発明の実施形態に係る拡大読書器の画像表示体と文書載置体を重ねて使用しようとする途中状態の斜視図である。
【図２】同上の拡大読書器の画像表示体と文書載置体を重ねて使用する状態の斜視図である。
【図３】同上の拡大読書器の画像表示体と文書載置体を並べて使用する状態の斜視図である。
【図４】同上の画像表示体と文書載置体の概略断面図である。
【図５】同上の制御回路の回路図である。
【図６】同上の制御プログラムの全体構成図である。
【図７】同上の制御プログラムで表示される主なメニューである。
【図８】同上の制御プログラムのイニシャル処理のフロー図である。
【図９】同上の制御プログラムの画像読み取り処理のフロー図である。
【図１０】同上の制御プログラムの画質調整処理のフロー図である。
【図１１】同上の制御プログラムの画面スタック処理と画面スタックリード処理のフロー図である。
【図１２】同上の制御プログラムの画像拡大縮小回転処理のフロー図である。
【図１３】同上の制御プログラムのスクロール処理のフロー図である。
【図１４】同上の制御プログラムにおける画面スタック処理を利用したスクロール方法を説明する図である。
【図１５】同上の制御プログラムの文字入力処理のフロー図である。
【図１６】同上の制御プログラムにおける書き始め箇所を捜す方法を説明する斜視図である。
【図１７】同上の制御プログラムのメモリカード処理のフロー図である。
【図１８】同上の制御プログラムのシステム設定処理のフロー図である。
【図１９】同上の制御プログラムの画面連続表示を説明する図である。
【図２０】同上の拡大読書器の変形例の使用状態の一つの斜視図である。
【符号の説明】
【００６１】
１      拡大読書器
１ａ    画像表示体
１ｂ    文書載置体
２      画像読み取り部
２ａ    画像読み取り部の読み取り素子
２０    画像読み取り部の接写面
３      画像表示部
３ａ    画像表示部の表示素子
３０    画像表示部の表示画面
４      書込文字読み取り部
４０    書込文字読み取り部の載置面
５      制御部
５４    画像メモリ
Ｄ      文書
【図１】
2011139112.tif 000003
【図２】
2011139112.tif 000004
【図３】
2011139112.tif 000005
【図４】
2011139112.tif 000006
【図５】
2011139112.tif 000007
【図６】
2011139112.tif 000008
【図７】
2011139112.tif 000009
【図８】
2011139112.tif 000010
【図９】
2011139112.tif 000011
【図１０】
2011139112.tif 000012
【図１１】
2011139112.tif 000013
【図１２】
2011139112.tif 000014
【図１３】
2011139112.tif 000015
【図１４】
2011139112.tif 000016
【図１５】
2011139112.tif 000017
【図１６】
2011139112.tif 000018
【図１７】
2011139112.tif 000019
【図１８】
2011139112.tif 000020
【図１９】
2011139112.tif 000021
【図２０】
2011139112.tif 000022